(57)【要約】【課題】見る角度や光の透過量によって切欠き模様の見え方と全体の印象が変化する、非常に興趣に富む切欠き模様付加飾成形体を提供する。【解決手段】容器本体１０の筒状壁部にあたる胴体部１１において、上記胴体部１１が、光透過性を有する筒状のベース体２０と、上記ベース体２０の外周に設けられるハーフ蒸着層２２とを備え、上記胴体部１１の、互いに対向する配置となる少なくとも２個所において、上記ハーフ蒸着層２２が部分的に除去された切欠き模様Ｒが形成されており、上記少なくとも２個所に形成された切欠き模様Ｒの、容器本体１０の外側から直接視認される切欠き模様Ｒと、上記容器本体１０を透かして視認される切欠き模様Ｒとの重なり模様が、容器本体１０に対する視点の相対的な移動に伴って変化するようになっている。【選択図】図２
2019112132.tif 000002
【特許請求の範囲】
【請求項１】
筒状壁部を備えた加飾成形体であって、上記筒状壁部が、光透過性を有する筒状のベース体と、上記ベース体の外周に設けられるハーフ蒸着層とを備え、
上記筒状壁部の、互いに対向する配置となる少なくとも２個所において、上記ハーフ蒸着層が部分的に除去された切欠き模様が形成されており、
上記少なくとも２個所に形成された切欠き模様の、加飾成形体外側から直接視認される切欠き模様と、上記筒状壁部を透かして視認される切欠き模様との重なり模様が、加飾成形体に対する視点の相対的な移動に伴って変化するようになっていることを特徴とする切欠き模様付加飾成形体。
【請求項２】
上記ハーフ蒸着層の光透過率が、２０〜８０％に設定されている請求項１記載の切欠き模様付加飾成形体。
【請求項３】
上記切欠き模様が、幅２０μｍ〜５ｍｍの点状もしくは線状の切欠き部の組み合わせによって構成されている請求項１または２記載の切欠き模様付加飾成形体。
【請求項４】
上記切欠き模様の少なくとも一部が、ハーフ蒸着層が設けられたベース体の断続的もしくは連続的な回転下でのハーフ蒸着層へのレーザ照射によって形成されている請求項１〜３のいずれか一項に記載の切欠き模様付加飾成形体。
【請求項５】
上記筒状のベース体の表面に凹凸模様が形成され、その上に、切欠き模様が形成されたハーフ蒸着層が設けられており、上記凹凸模様の少なくとも一部が、ベース体の断続的もしくは連続的な回転下でのベース体へのレーザ照射によって形成され、上記切欠き模様の少なくとも一部が、ハーフ蒸着層が設けられたベース体の断続的もしくは連続的な回転下でのハーフ蒸着層へのレーザ照射によって形成されている請求項４記載の切欠き模様付加飾成形体。
【請求項６】
加飾成形体が、光透過性を有する内容物を充填する容器である請求項１〜５のいずれか一項に記載の切欠き模様付加飾成形体。
【請求項７】
加飾成形体がボトルタイプの化粧料容器に用いられる容器本体であり、上記光透過性を有する内容物が無色透明もしくは有色透明の液体である請求項６記載の切欠き模様付加飾成形体。
【発明の詳細な説明】
【技術分野】
【０００１】
本発明は、見る角度や透過する光の量によって切欠き模様の見え方や全体の印象が変化する、非常に興趣に富む切欠き模様付加飾成形体に関するものである。
【背景技術】
【０００２】
化粧料を収容したコンパクト容器等には、単に機能性だけでなく、見栄えがよい、商品イメージを反映したデザインである、といった意匠性も要求される。このような要求に応えるために、例えば、コンパクト容器の蓋部に、アルミニウム蒸着等によって金属薄膜層を形成して金属光沢を与えたものや、複雑な色模様が印刷された転写シートを貼着したもの等、様々な技術を駆使して、容器外観のアイキャッチ効果を高めたものが提案されている。
【０００３】
また、最近は、より複雑な模様を付与するために、上記金属薄膜層や転写シートの一部をレーザ照射によって除去し、その除去部から容器の地の部分や地の部分の上に形成された着色層を露出させて文字や図柄模様を形成することが行われている（例えば、特許文献１を参照）。さらに、成形体の表面に予め凹凸模様を形成し、その上に金属薄膜層等の被覆層を形成した後、その凹凸模様の凹凸に合わせて、レーザ照射により被覆層を部分的に除去して、より印象的な凹凸模様を得ることが提案されている（例えば、特許文献２を参照）。
【０００４】
ところで、このような表面加飾は、従来、コンパクト容器の蓋部のように、表面が平面であるか、ごくなだらかな褶曲面であるものに限定されていたが、最近、図７に示すような、透明または半透明のボトルタイプの合成樹脂製容器本体１の胴体部分に、金属蒸着層２と着色塗膜層３とを積層形成し、その一部をレーザ光照射によって除去して透過模様４を付与した加飾容器が提案されている（特許文献３を参照）。このものは、いわゆるボトルタイプの容器にレーザ照射による透過模様が付与されているため、従来の平面的な加飾容器とは異なる印象を有している。
【先行技術文献】
【特許文献】
【０００５】
【特許文献１】特開２００７−２１６４１７号公報
【特許文献２】特開２００６−３３４１２２号公報
【特許文献３】特許第４８６３０８７号公報
【発明の概要】
【発明が解決しようとする課題】
【０００６】
しかしながら、図７に示す加飾容器は、金属蒸着層２と着色塗膜層３との積層部分においてまったく内側が見えず、透過模様４の透明（もしくは半透明）の部分のみを透かして、容器内部や反対側の透過模様４が見えるようになっているため、透かして見える部分がごく限られており、さほど変化に富んだ目新しい印象にはなっていないのが実情である。
【０００７】
本発明は、このような事情に鑑みなされたもので、見る角度や透過する光の量によって切欠き模様の見え方と全体の印象が変化する、非常に興趣に富む切欠き模様付加飾成形体の提供を、その目的とする。
【課題を解決するための手段】
【０００８】
上記の目的を達成するため、本発明は、筒状壁部を備えた加飾成形体であって、上記筒状壁部が、光透過性を有する筒状のベース体と、上記ベース体の外周に設けられるハーフ蒸着層とを備え、上記筒状壁部の、互いに対向する配置となる少なくとも２個所において、上記ハーフ蒸着層が部分的に除去された切欠き模様が形成されており、上記少なくとも２個所に形成された切欠き模様の、加飾成形体外側から直接視認される切欠き模様と、上記筒状壁部を透かして視認される切欠き模様との重なり模様が、加飾成形体に対する視点の相対的な移動に伴って変化するようになっている切欠き模様付加飾成形体を第１の要旨とする。
【０００９】
また、本発明は、そのなかでも、特に、上記ハーフ蒸着層の光透過率が、２０〜８０％に設定されている切欠き模様付加飾成形体を第２の要旨とし、それらのなかでも、特に、上記切欠き模様が、幅２０μｍ〜５ｍｍの点状もしくは線状の切欠き部の組み合わせによって構成されている切欠き模様付加飾成形体を第３の要旨とする。
【００１０】
さらに、本発明は、それらのなかでも、特に、上記切欠き模様の少なくとも一部が、ハーフ蒸着層が設けられたベース体の断続的もしくは連続的な回転下でのハーフ蒸着層へのレーザ照射によって形成されている切欠き模様付加飾成形体を第４の要旨とし、そのなかでも、特に、上記筒状のベース体の表面に凹凸模様が形成され、その上に、切欠き模様が形成されたハーフ蒸着層が設けられており、上記凹凸模様の少なくとも一部が、ベース体の断続的もしくは連続的な回転下でのベース体へのレーザ照射によって形成され、上記切欠き模様の少なくとも一部が、ハーフ蒸着層が設けられたベース体の断続的もしくは連続的な回転下でのハーフ蒸着層へのレーザ照射によって形成されている切欠き模様付加飾成形体を第５の要旨とする。
【００１１】
そして、本発明は、それらのなかでも、特に、加飾成形体が、光透過性を有する内容物を充填する容器である切欠き模様付加飾成形体を第６の要旨とし、そのなかでも、特に、加飾成形体がボトルタイプの化粧料容器に用いられる容器本体であり、上記光透過性を有する内容物が無色透明もしくは有色透明の液体である切欠き模様付加飾成形体を第７の要旨とする。
【発明の効果】
【００１２】
すなわち、本発明の切欠き模様付加飾成形体は、筒状壁部を備え、その筒状壁部に、ハーフ蒸着層と、これを部分的に除去した切欠き模様を有するものである。そして、上記切欠き模様が、上記筒状壁部の、互いに対向する配置となる少なくとも２個所に形成されている。
【００１３】
この構成によれば、上記切欠き模様付加飾成形体の筒状壁部を外側から見ると、その手前側の切欠き模様が見えるだけでなく、切欠き模様以外のハーフ蒸着層を備えた筒状壁部を透かして、筒状壁部の向こう側の切欠き模様が重なって見える。また、筒状壁部の向こう側の内周面に、手前側の切欠き模様が映り込んで、これも重なって見える。そして、これらの重なり模様が、筒状壁部を見る視点の動きによって、複雑に変化するため、従来にはない、全く新しい印象を与える。また、この筒状壁部を透過する光の量によっても、これらの模様の見え方が変化し、光の模様がまたたくような独特の印象を与える。しかも、上記筒状壁部の、切欠き模様Ｒが形成された部分以外はハーフ蒸着層で覆われているため、この切欠き模様付加飾成形体が容器であり、上記筒状壁部の内側に液体等の内容物を収容する場合、上記内容物の減り具合を容器外側から視認することができ、使い勝手がよい。
【００１４】
そして、本発明のなかでも、特に、上記ハーフ蒸着層の光透過率が、２０〜８０％に設定されているものは、とりわけ、ハーフ蒸着層とハーフ蒸着層が除去されて切欠き模様になっている部分との光透過性の差が明確となり、切欠き模様が際立つため、好適である。
【００１５】
また、本発明のなかでも、特に、上記切欠き模様が、幅２０μｍ〜５ｍｍの点状もしくは線状の切欠き部の組み合わせによって構成されているものは、筒状壁部を見る視点の動きにつれて、それらの切欠き部が、他の切欠き部と重なったりずれたりして、絶えず印象の異なる切欠き模様につぎつぎと変化するため、好適である。
【００１６】
そして、本発明のなかでも、特に、上記切欠き模様の少なくとも一部が、ハーフ蒸着層が設けられたベース体の断続的もしくは連続的な回転下でのハーフ蒸着層へのレーザ照射によって形成されているものは、切欠き模様が美麗に仕上がっており、好適である。
【００１７】
また、本発明のなかでも、特に、上記筒状のベース体の表面に凹凸模様が形成され、その上に、切欠き模様が形成されたハーフ蒸着層が設けられており、上記凹凸模様の少なくとも一部が、ベース体の断続的もしくは連続的な回転下でのベース体へのレーザ照射によって形成され、上記切欠き模様の少なくとも一部が、ハーフ蒸着層が設けられたベース体の断続的もしくは連続的な回転下でのハーフ蒸着層へのレーザ照射によって形成されているものは、凹凸模様および切欠き模様が美麗に仕上がっており、一層印象的な外観となる。
【００１８】
さらに、本発明のなかでも、特に、加飾成形体が、光透過性を有する内容物を充填する容器であるものは、容器本体の光の屈折率と、内容物となるものの光の屈折率が異なるため、容器手前側の切欠き模様を透かして見える、容器向こう側の内周面の切欠き模様や、その内周面に映り込む切欠き模様が、本来の形から変化して、異なる形の切欠き模様に見えるため、より複雑な印象の変化を生み出すことになり、好適である。
【００１９】
そして、上記加飾成形体のなかでも、特に、上記加飾成形体がボトルタイプの化粧料容器に用いられる容器本体であり、上記光透過性を有する内容物が無色透明もしくは有色透明の液体であるものは、上記液体によって光の反射軌跡が変化してレンズ効果を生じるため、液体を透かして見える切欠き模様が立体的に浮かび上がり、より興趣に富むものとなる。
【図面の簡単な説明】
【００２０】
【図１】本発明を化粧料容器の容器本体に適用した一実施の形態を示す斜視図である。
【図２】上記実施の形態の模式的な縦断面図である。
【図３】（ａ）、（ｂ）は、ともに上記実施の形態における切欠き模様の説明図である。
【図４】上記切欠き模様を形成するために用いられる装置の一例を示す説明図である。
【図５】（ａ）は上記切欠き模様の形成方法の一例を示す説明図、（ｂ）は上記切欠き模様の形成方法の他の例を示す説明図である。
【図６】（ａ）は上記実施の形態における変形例の説明図、（ｂ）は本発明の他の実施の形態の説明図、（ｃ）は本発明のさらに他の実施の形態の部分的な説明図である。
【図７】従来の加飾容器の一例を示す斜視図である。
【発明を実施するための形態】
【００２１】
つぎに、本発明を実施するための形態について説明する。ただし、本発明は、以下の実施の形態に限定されるものではない。
【００２２】
図１は、本発明を、ボトルタイプの化粧料容器の容器本体１０に適用した一実施の形態を示している。この化粧料容器は、無色透明の化粧水を収容するためのもので、筒状壁部である胴体部１１と口部１２とを備えた容器本体１０と、上記口部１２にねじ係合するキャップ１３とを備えている。
【００２３】
上記容器本体１０は、図１およびその縦断面図である図２（断面の厚みや形状は模式的である）に示すように、透明樹脂成形体からなるベース体２０からなり、ベース体２０の筒状壁部である胴体部１１の周壁の外表面に、無色透明のアンダーコート層２１が形成され、その上に、アルミニウム蒸着によるハーフ蒸着層２２が形成されている。なお、ハーフ蒸着層２２とは、蒸着層の手前から奥が透けて見える蒸着層のことである。そして、上記ハーフ蒸着層２２が部分的に切欠かれて、その切欠き部から、透明なアンダーコート層２１が露出し、その下の透明なベース体２０も透けて見えることにより、切欠き模様Ｒが形成されている。
【００２４】
上記切欠き模様Ｒは、ごく幅の狭い線状の切欠き部と、その長さがごく短い点状の切欠き部とを組み合わせて構成されており、図１に示すように、胴体部１１の周壁全体にわたって、異なるデザインの切欠き模様Ｒが規則的に配置されている。
【００２５】
そして、図３（ａ）に示すように、上記胴体部１１の周壁に設けられた切欠き模様Ｒのうちの１つに視点を定めて、この部分を正面とした場合、この面と対向する背面側に、もう１つの、切欠き模様Ｒ'（破線で示す）が位置決めされるようになっている。したがって、この切欠き模様Ｒを正面から見る配置で、この容器本体１０を手に持って明るいところにかざすと、ハーフ蒸着層２２を備えた胴体部１１を透かして、背面側の切欠き模様Ｒ'が見えるため、二つの切欠き模様Ｒ、Ｒ'が重なって複雑なデザイン模様が付与されているように見える。また、互いの切欠き部が交差する部分（図において太い黒点Ｑで示す）では、光がストレートに透過して、他の部分よりも明るく光るため、切欠き模様Ｒ、Ｒ'とは別に、光の点による模様が付与されているようにも見える。
【００２６】
そして、上記容器本体１０を、例えば向かって右に少し回転させて、容器本体１０に対する視点を変えると、図３（ｂ）に示すように、上記切欠き模様Ｒは右に移動し、透けて見える背面側の切欠き模様Ｒ'が左に移動する。このため、二つの切欠き模様Ｒ、Ｒ'の重なり模様が変化して、さっきとは異なる、新たなデザイン模様が現出する。また、互いの切欠き部が交差して明るく光る部分Ｑも移動して、光の点による模様も、新たなデザイン模様として現出する。
【００２７】
しかも、上記容器本体１０の表面の、切欠き模様Ｒ（図３におけるＲ'を含む）以外の部分は、金属光沢を有するハーフ蒸着層２２で被覆されているため、この部分に、周囲の景色や、これを見る使用者の顔が映り込んで、複雑な印象を与える。また、ハーフ蒸着層２２を備えた胴体部１１を透かして見える容器本体１０の内周面にも、周囲の切欠き模様Ｒや周囲の景色等が映り込んで、より複雑な印象を与える。
【００２８】
このように、上記容器本体１０には、その周面に、切欠き模様Ｒを有するハーフ蒸着層２２が設けられているにすぎないが、その切欠き模様Ｒと反対側の切欠き模様Ｒ'との重なり模様や、互いの切欠き部が重なって生じる光の点模様、そして、ハーフ蒸着層２２に映り込む周囲の景色等の模様、容器内周面に映る周囲の景色や切欠き模様Ｒ等の模様、等々の複雑な模様を視認することができるため、非常に複雑な印象のものとなる。しかも、これらの模様が、容器本体１０を動かすか見る方の視点を動かすことにより、複雑に変化するため、従来にない興趣に富むものとなる。また、これらの模様は、胴体部１１を透過する光の量によっても変化し、光の模様が部分的に明るくなったり暗くなったりしてまたたくように変化するため、独特の効果が得られる。
【００２９】
さらに、この容器本体１０に無色透明もしくは有色透明の化粧水を充填し、キャップ１３を締めて密封した状態で、そのまま、もしくは透明な樹脂シートからなる包装箱に収容して店頭に陳列すると、店内の照明（陳列棚の照明を含む）によって容器が照らされ、容器本体１０の切欠き模様Ｒを有するハーフ蒸着層２２を通って、内側の化粧水まで光が届く。そして、化粧水を通して見える切欠き模様Ｒには、化粧水によるレンズ効果が生じて、切欠き模様Ｒが立体的に見える。したがって、より印象的な容器外観となり、好適である。
【００３０】
なお、上記容器本体１０において、ベース体２０の材質は、特に限定するものではなく、成形可能な各種の合成樹脂を用いることができる。例えば、ポリエチレンテレフタレート（ＰＥＴ）、イーストマンケミカル社製のトライタン等のポリシクロヘキシレンジメチレンテレフタレート（ＰＣＴ）、メタクリル樹脂（ＰＭＭＡ）、アクリロニトリル−スチレン（ＡＳ）樹脂、ポリカーボネート（ＰＣ）、ポリスチレン（ＰＳ）、ポリプロピレン（ＰＰ）等を用いることが、成形性、耐久性、軽量性の点で好ましい。そして、上記ベース体２０の色は、無色透明であることが好ましいが、透明性、すなわち光透過性があれば着色されていても差し支えない。着色すると、切欠き模様Ｒの切欠き部に色が付くので、全体の印象に変化を与えることができる。
【００３１】
また、上記ベース体２０の成形方法は、射出成形や射出ブロー成形、ブロー成形等、どのようなものであってもよい。そして、その厚みも、特に限定されるものではないが、例えば、０．５〜３ｍｍ程度であると、容器全体が軽量で取り扱いやすいものとなる。
【００３２】
さらに、上記ベース体２０の胴体部１１に形成されるアンダーコート層２１は、無色透明のものを用いたが、必ずしも無色である必要はなく、透明性、すなわち光透過性があれば着色されていても差し支えない。着色したアンダーコート層２１を用い、切欠き模様Ｒを形成する際に、ハーフ蒸着層２２を除去しアンダーコート層２１を残すようにすると、切欠き部の色が、アンダーコート層２１の色によって着色されるため、全体の印象に変化を与えることができる。
【００３３】
なお、上記アンダーコート層２１は、その上に形成するハーフ蒸着層２２をベース体２０に接着一体化させるために用いられるものであるが、ハーフ蒸着層２２の形成方法によっては、必ずしもアンダーコート層２１は必要ではない。
【００３４】
また、上記ベース体２０の外周面に直接もしくは上記の例のようにアンダーコート層２１を介して形成されるハーフ蒸着層２２は、アルミニウムに限らず、ステンレス等、他の金属材料からなり、従来公知の、真空蒸着等の方法によって得られるものである。そして、上記ハーフ蒸着層２２は、反対側が透けて見える程度の光透過性を備えていることが好ましく、そのためには、光透過率が２０〜８０％であることが好ましく、３０〜７５％であることがさらに好ましい。なお、本発明において、上記「光透過率」は、ＪＩＳ  Ｋ７３６１−１に準じて測定される値をいう。
【００３５】
上記光透過率が低すぎると、容器本体１０の胴体部１１を見たときに正面側の切欠き模様Ｒと背面側の切欠き模様Ｒ’のように互いに対向する配置で設けられた２つ以上の欠き模様Ｒ同士の重なりを視認しにくくなり、視点を動かしてもその変化を認識しにくくなるため、好ましくない。また、光透過率が高すぎると、切欠き模様Ｒの切欠き部と、切欠かれていないハーフ蒸着層２２の地の部分との区別がつきにくく、模様の印象やその変化の印象が弱いものとなって好ましくない。
【００３６】
そして、上記ハーフ蒸着層２２を部分的に除去して形成される切欠き模様Ｒは、上記の例では、幅の狭い線状もしくは点状の切欠き部を組み合わせたものであるが、切欠き部の形状は、必ずしも線状や点状にする必要はない。ただし、幅の狭い線状や点状の切欠き部を組み合わせたものである方が、正面側の切欠き模様Ｒと背面側の切欠き模様Ｒ'の、互いの切欠き部の交差部が光の点となって点々模様を作るため、印象深いものとなる。そして、視点を動かしながら容器本体１０を見ると、上記光の点々模様の形が変化するため、より一層興趣に富むものとなる。このような効果を得るには、上記切欠き部の幅を２０μｍ〜５ｍｍとすることが好ましく、なかでも、５０μｍ〜３００μｍとすることが、繊細かつ変化に富んだ印象を与える上で、好適である。
【００３７】
また、上記切欠き模様Ｒは、容器本体１０の一方側から見たときの切欠き模様Ｒと、容器本体１０を透かして向こう側に見える切欠き模様Ｒ'［図３（ａ）を参照］とが重なって見える見え方と、容器本体１０を移動させるか見る側の視点を動かすかして、その両者がずれた場合の見え方が変化するように配置される必要がある。そのためには、上記切欠き模様Ｒが、容器本体１０の、互いに対応する配置となる少なくとも２個所に形成されていなければならない。
【００３８】
もちろん、上記切欠き模様Ｒは、筒状の容器本体１０の、正面側と背面側の２個所において対向する配置になっていても、互いにもっと偏った配置（例えば周方向に６０°間隔、とか１２０°間隔）になっていて、視点を大きく変化させることによって互いの模様が重なったりずれたりするものであってもよい。また、容器本体１０を垂直に立てた状態で互いに重なる複数の切欠き模様Ｒが、これを手前に傾けたり後方に傾けたりすることによって、互いにずれて変化するものであってもよい。逆に、初期位置では互いにずれた配置になっている複数の切欠き模様Ｒが、特定の姿勢（特定の視点）において、互いに重なって模様が変化するものであってもよい。さらに、外周面全体に、変化のある切欠き模様Ｒが形成されており、その切欠き模様Ｒが、手前で見える部分と透かして見える部分が、視点の移動に応じて変化するものであってもよい。
【００３９】
なお、上記ハーフ蒸着層２２に切欠き模様Ｒを形成する方法としては、各種の切欠き加工方法を用いることができるが、なかでも、レーザ照射による除去加工を行うことが好適である。レーザ照射によって切欠き模様Ｒを形成するには、レーザ装置に、切欠き模様Ｒを形成するための除去加工位置のデータを入力しておき、それに基づいてレーザ光を断続的に走査させることによって行われる。
【００４０】
上記レーザ照射は、例えば図４に示すような装置を用い、アンダーコート２１を介してハーフ蒸着層２２が形成されたベース体２０を回転させながら行うことが好適である。より詳しく説明すると、この装置は、ベース体２０を水平に保持するワーク保持部３１と、上記ワーク保持部３１に保持されたベース体２０に回転動作を与えるモータ３２とを備えている。
【００４１】
上記ワーク保持部３１は、ベース体２０の口部１２とねじ係合してベース体２０を水平に保持する係合ガイド３１ａと、ベース体２０の底面中心を押し付け保持する押さえガイド３１ｂとで構成されている。なお、上記押さえガイド３１ｂは補助的なものであり、必ずしも必要ではない。そして、装置の２枚の垂直壁３３、３４の間に固定されたモータ３２の回転軸（隠れて見えない）が、回転ベース３５に一体的に取り付けられており、モータ３２による回転駆動によって、回転ベース３５ごと係合ガイド３１ａとベース体２０が回転するようになっている。
【００４２】
また、上記ワーク保持部３１の上方には、レーザ装置の出力部３６が配置されており、矢印で示すように、ワーク保持部３１によって水平に保持されたベース体２０の表面に向かって垂直にレーザ光が照射されるようになっている。
【００４３】
そして、例えば図５（ａ）に示すように、ハーフ蒸着層２２が形成されたベース体２０［アンダーコート層２１は図示せず、図５（ｂ）も同じ］の表面を周方向に３分割し、まず、周面全体の１／３の領域に対し、真上からレーザ照射を行い、この１／３の領域内において、予め設定されたデータに基づいて切欠き模様Ｒを形成する。つぎに、ベース体２０を１２０°回転させて同様にレーザ照射を行い、周面のつぎの１／３の領域に切欠き模様Ｒを形成する。さらに、ベース体２０を１２０°回転させて同様にレーザ照射を行い、切欠き模様Ｒを形成する。なお、Ｐは回転中心軸である［図５（ｂ）も同じ］。
【００４４】
このようにして、ハーフ蒸着層２２が形成されたベース体２０の周面全体に加工を施して、目的とするデザインの切欠き模様Ｒが形成された容器本体１０（図１を参照）を得ることができる。得られた切欠き模様Ｒの各切欠き部は、図５（ａ）に示すように、３分割された周面の部分が、それぞれ真上に配置された状態でレーザ照射を受けるため、その配置において、垂直下向きに形成される。
【００４５】
なお、ハーフ蒸着層２２が形成されたベース体２０の表面にレーザ照射を行う際、上記のように、ベース体２０の表面を周方向にｎ分割（上記の例では３分割）し、ベース体２０を（３６０／ｎ）°ずつ回転させて、ｎ回のレーザ照射を断続的に行うと、１回のレーザ照射のために取り扱う加工データの量が、全周を一度に加工する場合の１／ｎとなり、短時間での断続処理となる。したがって、処理品の搬送等のタイミングを短くすることができ、生産効率を高めることができる。
【００４６】
また、ハーフ蒸着層２２が形成されたベース体２０の表面にレーザ照射を行う際、上記のように、レーザ照射をｎ回に分けて断続的に行うのではなく、図５（ｂ）に示すように、ベース体２０を回転しながらレーザ照射を行い、周面全体に対し連続的に切欠き模様Ｒを形成することもできる。このようにして得られた切欠き模様Ｒの各切欠き部は、図示のように、全て回転中心軸Ｐに向かって形成される。
【００４７】
この方法によれば、上記のようにレーザ照射を断続的に行う場合とは異なり、加工が途切れた境界部における切欠き模様Ｒのずれを気にする必要がなく、周面のどの部分についても美麗な仕上がりとなる。ただし、切欠き模様Ｒのデザインによっては、１回のレーザ照射のために取り扱う加工データの量が膨大になり、１回の処理に時間がかかるため、切欠き模様Ｒのデザインや要求される単位時間当たりの処理量に応じて、上記のように、ｎ分割して断続的にレーザ照射を行うか、１回で全周の加工を連続的に行うかを使い分けることが望ましい。
【００４８】
なお、切欠き模様Ｒを形成するためのレーザとしては、金属薄膜層に対し除去作用を有するものであれば、特に限定されるものではなく、各種のレーザを用いることができる。例えば、ＹＡＧレーザ、ＹＶＯ4レーザ、半導体レーザ等が好適に用いられる。
【００４９】
また、上記切欠き模様Ｒを形成する他の方法としては、例えば、ハーフ蒸着層が転写層として形成された転写シートを準備し、その転写シートのハーフ蒸着層をレーザ照射によって部分的に除去加工して切欠き模様Ｒを形成し、この転写シートの転写層を、ベース体２０の外周面に転写することにより、ベース体２０に切欠き模様Ｒ付きのハーフ蒸着層２２を形成することができる。ただし、上記転写シートを用いる方法は、ベース体２０の外周面の形状によっては、正確に転写シートを転写することが容易でなく、ズレやしわを生じて見栄えが悪くなるおそれがあるため、上記の例のように、ベース体２０に直接もしくはアンダーコート層２１を介してハーフ蒸着層２２を形成し、そのハーフ蒸着層２２にレーザ照射して切欠き模様Ｒを形成することが好適である。
【００５０】
さらに、上記の例において、ハーフ蒸着層２２の表面に、透明なトップコート層を設けてこれを保護することが好適である。そして、上記トップコート層に着色したりグラデーションをつけたりすることもできる。上記トップコート層は、切欠き模様Ｒを形成する前に形成しておき、レーザ照射等によって、ハーフ蒸着層２２と同時に除去して切欠き模様Ｒを形成することが好ましい。ただし、無色透明なトップコート層を用いる場合は、切欠き模様Ｒを形成した後に、全体を被覆するように形成しても差し支えない。
【００５１】
そして、上記の例は、本発明を、側周面が円筒状の化粧料容器に適用した例であるが、加飾を施す側周面の形状は、円筒状に限らず、例えば、図６（ａ）に示すような四角筒状の容器のような多角筒状の他、楕円筒状、あるいは不規則な褶曲面を有する略筒状のもの等であってもよい。
【００５２】
また、本発明は、上記の例のように、筒状の周壁を有する化粧料容器に適用する以外に、筒状壁部を有する各種の樹脂成形体に適用することができる。例えば、図６（ｂ）に示すような、ドーム状の天井部を有するシェードのような照明用カバーの他、各種カバー、陳列ケース、装飾品等に広く適用することができる。ただし、上記の例のように、本発明の加飾を施した筒状壁部の内側に、透明液体を充填したものは、液体がレンズ効果を奏して切欠き模様Ｒを立体的に浮かび上がらせるため、とりわけ印象的な外観を有するものとなり、好適である。
【００５３】
さらに、上記の例では、ベース体２０の滑らかな表面に、直接もしくはアンダーコート層２１を介してハーフ蒸着層２２を形成し、その後、ハーフ蒸着層２２を部分的に除去して切欠き模様Ｒを形成したが、例えばベース体２０の表面に、図６（ｃ）に示すように、予め凹凸模様Ｓを形成し、その上に直接もしくはアンダーコート層２１を介してハーフ蒸着層２２を形成した後、上記凹凸模様Ｓに合わせて切欠き模様Ｒを形成したり、凹凸模様Ｓの部分以外にも切欠き模様Ｒを形成したりして、より複雑な光の変化を伴う透かし模様を得ることができる。
【００５４】
上記凹凸模様Ｓを形成するには、切欠き模様Ｒを形成する場合と同様の装置を用い、ベース体２０を断続的もしくは連続的に回転しながらレーザ照射を行ってベース体２０の表面を部分的に溶融除去することが好適である（図４、図５を参照）。そして、その場合、凹凸模様Ｓを形成する際の加工データを、切欠き模様Ｒを形成するときの加工データに利用することができるため、煩雑な調整を行うことなく、凹凸模様Ｓに対し、的確な配置で切欠き模様Ｒを形成することができる。
【００５５】
なお、上記凹凸模様Ｓを形成するためのレーザとしては、樹脂に対し溶融除去作用を有するものであれば、特に限定されるものではなく、各種のレーザを用いることができる。例えば、ＣＯ2レーザ、エキシマレーザ、半導体レーザ等があげられ、なかでもＣＯ2レーザが、制御性、仕上がり性において好適である。
【産業上の利用可能性】
【００５６】
本発明は、見る角度によって切欠き模様の見え方や全体の印象が変化する、非常に興趣に富む切欠き模様付加飾成形体に利用することができる。
【符号の説明】
【００５７】
１０  容器本体
１１  胴体部
２０  ベース体
２２  ハーフ蒸着層
Ｒ  切欠き模様
【図１】
2019112132.tif 000003
【図２】
2019112132.tif 000004
【図３】
2019112132.tif 000005
【図４】
2019112132.tif 000006
【図５】
2019112132.tif 000007
【図６】
2019112132.tif 000008
【図７】
2019112132.tif 000009